(57)【要約】      （修正有）【課題】コンペンチェーンの収縮時に、コンペンチェーンとコンペンチェーンガイドとの接触を防止すること。【解決手段】かごと釣合い重りとを結ぶチェーンであって、その中間部が昇降路ピット部内で折り返されて放物線形状部を呈するコンペンチェーンを案内するものにおいて、かごの下方の前記領域にコンペンチェーンと交差する方向に配置されると共に昇降自在に配置されるコンペンチェーンガイドと、コンペンチェーンとコンペンチェーンガイドとの隙間の距離を測定するコンペンチェーン検知手段と、昇降路内の湿度と昇降路の長さからコンペンチェーンの最大収縮量を算出する算出手段と、コンペンチェーンとコンペンチェーンガイドとの隙間の距離と、前記コンペンチェーンの最大収縮量に基づいて異常信号を出力する異常判定手段と、異常信号の出力に基づいて、コンペンチェーンガイドをコンペンチェーンから離れる方向に上昇駆動する駆動手段とを備える。【選択図】図６
2017178546.tif 000002
【特許請求の範囲】
【請求項１】
昇降路上方の綱車に巻き掛けられた主ロープの一端に連結されたかごと前記主ロープの他端に連結された釣合い重りとを結ぶチェーンであって、その中間部が昇降路ピット部内で折り返されて放物線形状部を呈するコンペンチェーンを案内するエレベーターのコンペンチェーンガイド装置であって、
前記昇降路ピット部内のうち前記コンペンチェーンの放物線形状部で囲まれる領域であって、前記かごの下方の前記領域に前記コンペンチェーンと交差する方向に配置されると共に昇降自在に配置されるコンペンチェーンガイドと、
前記コンペンチェーンガイドに配置されて、前記コンペンチェーンと前記コンペンチェーンガイドとの隙間の距離を測定するコンペンチェーン検知手段と、
前記昇降路内の湿度と前記昇降路の長さから前記コンペンチェーンの最大収縮量を算出する算出手段と、
前記コンペンチェーンと前記コンペンチェーンガイドとの隙間の距離と、前記コンペンチェーンの最大収縮量に基づいて異常信号を出力する異常判定手段と、
前記異常信号の出力に基づいて、前記コンペンチェーンガイドを前記コンペンチェーンから離れる方向に上昇駆動する駆動手段と、を備えたことを特徴とするエレベーターのコンペンチェーンガイド装置。
【請求項２】
請求項１のエレベーターのコンペンチェーンガイド装置において、
前記釣合い重りと前記昇降路ピット部に設けられた緩衝器との隙間の距離を測定するクリアランス測定手段と、
前記釣合い重りと前記緩衝器との隙間の距離の変化量から前記主ロープの伸び量を算出し、当該伸び量で前記最大収縮量を補正する補正手段と、を備え、
前記異常判定手段は、
前記補正手段により補正された前記最大収縮量、及び前記コンペンチェーンと前記コンペンチェーンガイドとの隙間の距離に基づいて前記異常信号を出力することを特徴とするエレベーターのコンペンチェーンガイド装置。
【請求項３】
請求項２のエレベーターのコンペンチェーンガイド装置において、
前記補正手段は、
前記クリアランス測定手段の測定値が基準値よりも小さい場合、前記最大収縮量から前記基準値と前記測定値との差分を引いて補正することを特徴とするエレベーターのコンペンチェーンガイド装置。
【請求項４】
請求項１のエレベーターのコンペンチェーンガイド装置において、更に
前記コンペンチェーン検知手段と前記コンペンチェーンガイドとの間に、振動を抑制可能な固定材と、
前記コンペンチェーン検知手段と接続し、長さを調整可能な配線とを備えることを特徴とするエレベーターのコンペンチェーンガイド装置。
【発明の詳細な説明】
【技術分野】
【０００１】
本発明は、エレベーター昇降路内を互いに逆方向に昇降するかごと釣合い重りとに連結されたコンペンチェーンを案内するコンペンチェーンガイド装置に関するものである。
【背景技術】
【０００２】
エレベーター昇降路内を互いに逆方向に昇降するかごと釣合い重りとにコンペンチェーンが連結されたエレベーターには、通常、コンペンチェーンの中間部が昇降路ピット内で折り返されることにより形成されるＵ字状の窪み内に、コンペンチェーンを案内してその揺れを所定の範囲内に制限するコンペンチェーンガイド装置が配置されている。
【０００３】
従来、コンペンチェーンが揺れたときに、コンペンチェーンガイドに接触して騒音を発生することを防止するため、コンペンチェーンガイド装置として、かごが通常運転時における昇降範囲よりも下方に移動した際に、かご突出部との干渉を回避する所定の形状を有してものが提案されている（特許文献１参照）。
【先行技術文献】
【特許文献】
【０００４】
【特許文献１】特開２００７−１６８９３９号公報
【発明の概要】
【発明が解決しようとする課題】
【０００５】
エレベーター昇降路内を互いに逆方向に昇降するかごと釣合い重りとに連結されたコンペンチェーンは、かご昇降時の騒音を防止するため、コンペンチェーンのチェーンリンク同士がお互いに接触した際に衝突音を発せないよう麻縄がチェーンリンクの穴に通されている。麻縄は周囲の湿度が変化すると収縮する性質があり、麻縄の収縮に伴ってコンペンチェーン全体が収縮する。このため、麻縄の収縮に伴ってコンペンチェーン全体が収縮した場合、そのままでは、コンペンチェーンガイドとコンペンチェーンが接触することが危惧される。
【０００６】
従来技術では、緊急時にかごが通常運転時における昇降範囲よりも下方に移動した場合や、エレベーターの保守運転時にかご突き下げが行われて、かごが通常運転時における昇降範囲よりも下方に移動した場合に、コンペンチェーンガイドを下方に逃がす構成であり、湿度低下による麻縄の収縮に対する考慮がなされていない。
【０００７】
本発明の目的は、コンペンチェーンの収縮時に、コンペンチェーンとコンペンチェーンガイドとの接触を防止することにある。
【課題を解決するための手段】
【０００８】
前記課題を解決するために、本発明は、昇降路上方の綱車に巻き掛けられた主ロープの一端に連結されたかごと前記主ロープの他端に連結された釣合い重りとを結ぶチェーンであって、その中間部が昇降路ピット部内で折り返されて放物線形状部を呈するコンペンチェーンを案内するエレベーターのコンペンチェーンガイド装置であって、前記昇降路ピット部内のうち前記コンペンチェーンの放物線形状部で囲まれる領域であって、前記かごの下方の前記領域に前記コンペンチェーンと交差する方向に配置されると共に昇降自在に配置されるコンペンチェーンガイドと、前記コンペンチェーンガイドに配置されて、前記コンペンチェーンと前記コンペンチェーンガイドとの隙間の距離を測定するコンペンチェーン検知手段と、前記昇降路内の湿度と前記昇降路の長さから前記コンペンチェーンの最大収縮量を算出する算出手段と、前記コンペンチェーンと前記コンペンチェーンガイドとの隙間の距離と、前記コンペンチェーンの最大収縮量に基づいて異常信号を出力する異常判定手段と、前記異常信号の出力に基づいて、前記コンペンチェーンガイドを前記コンペンチェーンから離れる方向に上昇駆動する駆動手段と、を備えたことを特徴とする。
【発明の効果】
【０００９】
本発明によれば、コンペンチェーンの収縮時に、コンペンチェーンとコンペンチェーンガイドとの接触を防止することができる。
【図面の簡単な説明】
【００１０】
【図１】本発明の一実施例によるエレベーターの概略構成図である。
【図２】本発明の一実施例による昇降路のピット部内の構成図である。
【図３】本発明の一実施例によるコンペンチェーンガイドの構成図であって、（ａ）は平面図、（ｂ）は正面図、（ｃ）は側面図である。
【図４】本発明の一実施例による可動ブラケット組品の構成図であって、（ａ）は平面図、（ｂ）は正面図、（ｃ）は側面図である。
【図５】本発明の一実施例によるチェーン検出センサーを内蔵した案内棒の構成図であって、（ａ）は正面図、（ｂ）は下面図、（ｃ）は（ａ）のＡ−Ａ側面図である。
【図６】本発明の一実施例によるコンペンチェーンガイド装置の動作を説明するためのフローチャートである。
【発明を実施するための形態】
【００１１】
以下、本発明の実施例を図を用いて説明する。
図１は、本発明の一実施例によるエレベーターの概略構成図である。図１において、エレベーター建屋で構成されるエレベーター昇降路１には、かご２が昇降自在に配置されている。かご２は、昇降路１に立設されたかご用ガイドレール（図示せず）に両側が案内されて昇降路１内を昇降する。かご２の上部には主ロープ４が接続されている。主ロープ４は、かご２と釣合い重り３とを釣瓶式に懸架するロープであって、その一部が、昇降路１上方に配置された巻上機（図示せず）の綱車５に巻き掛けられた後、釣合い重り３に接続される。釣合い重り３は、昇降路１に立設された一対の釣合い重り用ガイドレール（図示せず）に両側が案内されて、昇降路１内を昇降する。一方、かご２の下部には、かご２と釣合い重り３とを連結するチェーンであって、かご２の位置によって生じる主ロープ４の重量アンバランスを補償するコンペンチェーン６が接続されている。このコンペンチェーン６は、かご２及び釣合い重り３の下方に吊り下げられ、その中間部が昇降路１のピット部１Ａ内において折り返され、Ｕ字状の放物線形状部を呈している。また、昇降路１下部のピット部１Ａ内には、コンペンチェーン６を案内することにより、コンペンチェーン６の揺れを所定の範囲に制限するコンペンチェーンガイド７が配置されている。コンペンチェーンガイド７は、昇降路１のピット部１Ａ内のうちコンペンチェーン６の放物線形状部で囲まれる領域であって、かご２の下方の領域にコンペンチェーン６と交差する方向に配置されると共に昇降自在に配置される。
【００１２】
なお、コンペンチェーン６としては、コンペンチェーンのチェーンリンク同士がお互いに接触した際に衝突音を発しないよう、麻縄がチェーンリンクの穴に通されているものを用いることができる。また、エレベーターの運転を制御するための制御装置（図示せず）等は、エレベーター外部の監視センター（図示せず）に接続される。監視センターには、例えば、ＣＰＵ（Central Processing Unit）、メモリ（記憶装置）、表示装置（モニター）、入出力インタフェース（送受信装置）等の情報処理資源を備え、エレベーターを統括制御するためのコンピュータ装置が配置される。
【００１３】
図２は、昇降路のピット部内の構成図である。図２において、昇降路１のピット部１Ａ内には、一対の釣合い重り用ガイドレール１０が鉛直方向に沿って配置されており、各釣合い重り用ガイドレール１０には、釣合い重り３が昇降自在に配置されている。昇降路１のピット部１Ａ内のピット部床面１Ｂには、釣合い重り３下部と相対向して、釣合い重り３用の緩衝器８が配置されている。各釣合い重り用ガイドレール１０には、コンペンチェーンガイド７が上下動自在に配置されている。また、一方の釣合い重り用ガイドレール１０には、釣合い重り３と緩衝器８の隙間の距離Ｙ１を常時測定可能なクリアランス測定装置９が配置されている。クリアランス測定装置９は、Ｙ１を常時測定し、測定値を監視センターに送信する。この際、監視センターのＣＰＵは、エレベーターが最上階に停止中のＹ１を示す測定値と判定値（データベースに記録された値）とを比較し、比較結果から、主ロープ４が判定値よりも伸びたか否かを判定することができる。なお、Ｙ１は、エレベーターが最上階に停止中の場合が最も短くなり測定精度が高まるが、必ずしも最上階である必要はなく、所定の階に停止中のときのＹ１と、それに対応するデータベースを用いて判定してもよい。
【００１４】
図３は、コンペンチェーンガイドの構成図であって、（ａ）は平面図、（ｂ）は正面図、（ｃ）は側面図である。図３において、コンペンチェーンガイド７は、一対の可動ブラケット１１と、案内棒１２を備えている。各可動ブラケット１１は、各釣合い重り用ガイドレール１０の各々に同じ高さで配置され、電動シリンダ１３によって上下動自在に支持されている。各電動シリンダ１３は、固定金具１４で各釣合い重り用ガイドレール１０に固定されている。案内棒１２は、両可動ブラケット１１間に渡って、一直線状を呈する部材として、昇降路１の開口方向に略水平になって配置されている。各釣合い重り用ガイドレール１０は、釣合い重り３の両側に互いに対向するように立設され、取付ブラケット等（図示せず）によって昇降路壁等（図示せず）の固定体に固定されている。なお、釣合い重り３は、昇降路１の開口方向に長手を有するため、釣合い重り用ガイドレール１０は一方が昇降路１の一側に、他方が昇降路１の他側に配置される。
【００１５】
また、電動シリンダ１３は、釣合い重り３を案内する釣合い重り用ガイドレール１０と平行に配置され、可動ブラケット１１を鉛直方向に上昇駆動するための、せり上げ機構として可動ブラケット１１の直下に配置されている。
【００１６】
なお、案内棒１２は、昇降路１のピット部１Ａ内において、コンペンチェーン６のかご２側及び釣合い重り３側の間に配置されるとともに、鉛直投影面上、コンペンチェーン６と直交し、且つ、コンペンチェーン６のかご２側連結部と釣合い重り３側連結部との中間部を通るよう配置されている。案内棒１２には、コンペンチェーン６を検知するためのチェーン検出センサー１５が内蔵されている。
【００１７】
図４は、可動ブラケット組品の構成図であって、（ａ）は平面図、（ｂ）は正面図、（ｃ）は側面図である。図４において、可動ブラケット１１は、案内棒１２を支持するとともに、後述する案内手段に案内されることによって、釣合い重り用ガイドレール１０に沿って上下方向に所定距離移動自在に配置されている。可動ブラケット１１は、略Ｌ字状を呈しており、釣合い重り用ガイドレール１０の背面から突出する上部の上面が対向するように配置されている。
【００１８】
ここで、案内手段は、一対のローラ１８と、円盤状に形成された一対の押え金具１７と、各押え金具１７及び各ローラ１８を可動ブラケット１１の下部に締結固定するボルト１６及びナット１９から構成される。各ローラ１８は、可動ブラケット１１の下部側面に回動自在に設けられ、その外周面が釣合い重り用ガイドレール１０のフランジ部に両側から接触するように配置される。各押え金具１７は、各ローラ１８の可動ブラケット１１側端部に設けられ、ローラ１８より大きな所定の直径を有して、その一部が釣合い重り用ガイドレール１０のフランジ部前面側に配置される。これにより、可動ブラケット１１が釣合い重り用ガイドレール１０から外れるのが防止される。なお、ボルト１６は、押え金具１７及びローラ１８の各中心部に形成された貫通孔（図示せず）、及び可動ブラケット１１下部に形成された貫通孔（図示せず）に押え金具１７側から蝶嵌されている。
【００１９】
また、可動ブラケット１１は、可動ブラケット１１の直下に配置された電動シリンダ１３によって上下動自在に支持されている。電動シリンダ１３は、釣合い重り用ガイドレール１０の背面側からフランジ部前面側に回り込み、釣合い重り用ガイドレール１０のフランジ部前面側にボルト１４ａで固定された固定金具１４で保持される。可動ブラケット１１は、電動シリンダ１３の付勢（上昇駆動）により、釣合い重り用ガイドレール１０に沿って所定寸法垂直方向（鉛直方向）に上昇し、一方、電動シリンダ１３の動力を断つと上昇した位置から、釣合い重り用ガイドレール１０に沿って所定寸法垂直方向に降下する。なお、電動シリンダ１３は、油圧シリンダやエアシリンダ等で代用しても問題はない。
【００２０】
図５は、チェーン検出センサーを内蔵した案内棒の構成図であって、（ａ）は正面図、（ｂ）は下面図、（ｃ）は（ａ）のＡ−Ａ側面図である。図５において、案内棒１２は、Ｕ字状を呈するコンペンチェーン６の最下端部より上部側の領域であって、コンペンチェーン６に直交する位置に設けられている。この際、案内棒１２に内蔵されたセンサーからコンペンチェーン６を検知するには、昇降路１のピット部１Ａ側にセンサーを指向する必要がある。そこで、本実施例では、角型の鋼管で構成された案内棒１２のうち、コンペンチェーン６の最下端部と相対向する下面には、センサーの信号送受信口１２Ａが形成されている。
【００２１】
センサーとしては、光電センサーを用いれば精密な寸法測定も可能となる。しかし、エレベーターが運転する度に昇降路１に粉塵が舞い上がり、光電センサーの投受光部に粉塵が付着すると、光電センサーが誤検知し、コンペンチェーンガイド装置が誤動作を起こすおそれがあり、適切ではない。そこで、本実施例では、センサーとしては、光の影響を受けない超音波反射波センサーを用いている。具体的には、センサーとして、反射波センサーを内臓したチェーン検出センサー１５を用いている。チェーン検出センサー１５は、コンペンチェーン６の最下端部と案内棒１２（コンペンチェーンガイド７）との距離を常時測定し、測定値が閾値を下回った場合、コンペンチェーン６が閾値よりも収縮したことを示すコンペンチェーン検知信号を監視センターに送信する。この際、チェーン検出センサー１５は、コンペンチェーンガイド７に配置されて、コンペンチェーン６とコンペンチェーンガイド７との隙間の距離Ｙ２（図２）を測定し、この測定値が閾値を下回った場合、コンペンチェーン検知信号を出力するコンペンチェーン検知手段として構成される。Ｙ２は、例えば、正規セット時（直近の調整時）の値を用いても良いし、その値から所定の許容値を考慮した値としてもよい。また、チェーン検出センサー１５の検出する隙間Ｙ２は、必ずしも鉛直下向き（コンペンチェーン６の最下端部）である必要はなく、コンペンチェーン６がコンペンチェーンガイド７に近づくことが検知できれば、斜めや水平方向を測定してもよい。
【００２２】
なお、反射波センサーは、振動に伴うノイズ、例えば、釣合い重り用ガイドレール１０から、可動ブラケット１１に設けた案内棒１２を通して伝播するノイズによって誤動作することがある。そこで、釣合い重り用ガイドレール１０から、案内棒１２を通して伝播するノイズを低減するために、チェーン検出センサー１５は、両面接着スポンジ等の固定材２０で案内棒１２の内側上面に固定されている。また、案内棒１２は、可動ブラケット１１と同時に上下動作を行う。この際、案内棒１２の動きに伴って、案内棒１２に内臓されたチェーン検出センサー１５の配線２１の伸縮が発生する。そこで、チェーン検出センサー１５に接続される配線２１は、巻き取りリール２２で引き出し可能に構成されている。
【００２３】
図６は、本発明の一実施例によるコンペンチェーンガイド装置の動作を説明するためのフローチャートである。この際、監視センターの記憶装置には、エレベーター１台毎に昇降路１の昇降行程、過去の釣合い重り３と緩衝器８の隙間Ｙ１、コンペンチェーン６の調整履歴等の情報がデータベースで保存されている。
【００２４】
湿度の変化等でコンペンチェーン６の収縮が始まって、案内棒１２とコンペンチェーン６との距離（寸法）が縮まり、案内棒１２とコンペンチェーン６との距離（寸法）、即ち案内棒１２と、Ｕ字状を呈するコンペンチェーン６の最下端部との距離Ｙ２が所定の値を下回ると、チェーン検出センサー１５がコンペンチェーン６を検知（コンペンチェーンセンサ検知）し、検知信号を監視センターに送信する（Ｓ１）。
【００２５】
監視センターで、チェーン検出センサー１５からの検知信号を受信すると、監視センターのＣＰＵは、湿度情報を入手すると共に、記憶装置のデータベースを検索して、昇降路１の昇降行程を、コンペンチェーン６の長さ（コンペンチェーン長）として取り込み、湿度とコンペンチェーン長から、コンペンチェーン６の収縮量としてコンペンチェーン最大収縮量を計算する（Ｓ２）。なお、湿度情報としては、昇降路１に設置された湿度計の測定値を用いることが最良だが、湿度計が未設置の場合はインターネット等で入手したピンポイント気象情報で代用することもできる。
【００２６】
ここで、かご２と釣合い重り３とを懸架する主ロープ４が伸びると、釣合い重り３の昇降路１内の垂直位置が下がり、釣合い重り３の下部に締結されたコンペンチェーン６も昇降路１内の垂直位置が下がり、コンペンチェーン６と案内棒１２との距離（寸法）は大きくなる。そこで、監視センターからエレベーターを遠隔で最上階まで運転する。この際、クリアランス測定装置９は、釣合い重り３下部と昇降路１のピット部床面１Ｂに設置した緩衝器８上端との距離（寸法）を示す隙間Ｙ１を測定し、測定値を監視センターに送信する。監視センターのＣＰＵは、釣合い重り隙間からロープ（主ロープ）伸び量を算出するために、記憶装置のデータベースを参照して、直近のコンペンチェーン６の調整日に最も近い日付の情報であって、釣合い重り３下部と緩衝器８上端との隙間Ｙ１を示す情報（判定値）を検索し、検索結果（判定値）と測定値との差をロープ伸び量として算出する（Ｓ３）。
【００２７】
次に、監視センターのＣＰＵは、ステップＳ２で算出されたコンペンチェーン最大収縮量を、ステップＳ３で算出されたロープ伸び量で補正するための処理を実行する（Ｓ４）。例えば、ステップＳ３における検索結果よりもクリアランス測定装置９での測定値のほうが小さければ、主ロープ４は直近のコンペンチェーン６の調整日より伸びているので、ＣＰＵは、ステップＳ２で算出したコンペンチェーン最大収縮量（コンペンチェーン６の収縮量）から差分（ロープ伸び量）を引く処理を行い、コンペンチェーン最大収縮量を補正する。なお、検索結果と測定値との差が零である場合、コンペンチェーン最大収縮量を零で補正する。
【００２８】
次に、監視センターのＣＰＵは、コンペンチェーンとコンペンチェーンガイドが接触のおそれが有りか否かを判定し（Ｓ５）、このステップＳ５で否定の判定結果を得た場合、このルーチンでの処理を終了し、ステップＳ５で肯定の判定結果を得た場合、即ち、ステップＳ４で補正した値が、正規セット時におけるコンペンチェーン６と案内棒１２との距離（寸法）より大きい場合（コンペンチェーン６とコンペンチェーンガイド７との隙間（距離）を示す正規寸法よりも大きい場合）、異常信号を出力するための異常発報を行い（Ｓ６）、その後、異常発報継続か否かの判定を行う（Ｓ７）。
【００２９】
監視センターのＣＰＵは、ステップＳ７で否定の判定結果を得た場合、このルーチンでの処理を終了し、ステップＳ７で肯定の判定結果を得た場合、即ち、さらに、コンペンチェーン６が収縮したままで異常信号が継続している場合、遠隔操作で電動シリンダ１３を上昇駆動するための駆動信号を電動シリンダ１３に送信する。電動シリンダ１３が駆動信号に応答して上昇駆動すると、可動ブラケット１１が電動シリンダ１３の付勢によりせり上げられ、結果としてコンペンチェーンガイド７のせり上げが実行される（Ｓ８）。これにより、コンペンチェーン６とコンペンチェーンガイド７との接触が防止される。
【００３０】
この後、監視センターのＣＰＵは、監視センターの技術員に出動指示を行うための処理として、例えば、モニター画面上に技術員の出動を要請するための情報を表示する（Ｓ９）。但し、可動ブラケット１１のせり上げに伴って案内棒１２もせり上げられており、エレベーターの運転に支障はないので、緊急を要する対応ではないことを明示する。
【００３１】
技術員が現地に到着した場合、技術員は、コンペンチェーン調整のための作業を行う（Ｓ１０）。例えば、技術員は、コンペンチェーン６とコンペンチェーンガイド７とが接触しないように、コンペンチェーン６の長さを調整し、その後、案内棒１２を元の位置に復帰させる。これらの作業が終了することで、このルーチンでの処理が完了する。
【００３２】
ここで、監視センターのＣＰＵは、チェーン検出センサー（コンペンチェーン検知手段）１５からコンペンチェーン検知信号を受信した場合、昇降路内の湿度と昇降路の長さからコンペンチェーン６の最大収縮量を算出する算出手段と、コンペンチェーン６とコンペンチェーンガイド７との隙間の距離と、コンペンチェーン６の最大収縮量に基づいて異常信号を出力する異常判定手段として機能する。この際、電動シリンダ１３は、異常判定手段から異常信号の出力が継続したことを条件に、コンペンチェーンガイド７をコンペンチェーン６から離れる方向に上昇駆動する駆動手段として機能し、クリアランス測定装置９は、釣合い重り３と昇降路１のピット部１Ａに設けられた緩衝器８との隙間の距離Ｙ１を測定するクリアランス測定手段として機能する。また、監視センターのＣＰＵは、釣合い重り３と緩衝器８との隙間の距離Ｙ１の変化量から主ロープ４の伸び量を算出し、当該伸び量でコンペンチェーン６の最大収縮量を補正する補正手段として機能する。さらに、監視センターのＣＰＵは、前記補正手段により補正された前記最大収縮量、及びコンペンチェーン６とコンペンチェーンガイド７との隙間の距離に基づいて異常信号を出力する異常判定手段として機能する。また、ＣＰＵは、クリアランス測定手段の測定値が基準値よりも小さい場合、前記コンペンチェーン６の最大収縮量から前記基準値と前記測定値との差分を引いて補正する補正手段としても機能する。
【００３３】
本実施例によれば、湿度変化によってコンペンチェーン６が収縮しても、コンペンチェーン６の最大収縮量を算出し、この算出値が所定の寸法を超えた場合、コンペンチェーンガイド７をせり上げるようにしたので、コンペンチェーン６とコンペンチェーンガイド７が接触するのを確実に防止することができる。また、技術員が現地に出動する前に、コンペンチェーンガイド７をせり上げることができるので、技術員の無駄な出動を低減することができる。さらに、主ロープ４の伸び量でコンペンチェーン６の最大収縮量を補正しているので、主ロープ４の伸び量を基に、コンペンチェーン６の最大収縮量が所定の寸法を超えたか否かを判定することができる。
【００３４】
なお、本発明は上記した実施例に限定されるものではなく、様々な変形例が含まれる。例えば、監視センターに配置されるコンピュータ装置と同じ機能を有する機器をエレベーターの建屋に配置したり、コンペンチェーンガイド７に配置したりすることもできる。また、電動シリンダ１３を上昇駆動する場合、異常信号の発生回数が閾値を超えたことを条件とすることもできる。上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【００３５】
また、上記の各構成、機能等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に記録して置くことができる。
【符号の説明】
【００３６】
１  昇降路、２  かご、３  釣合い重り、４  主ロープ、５  綱車、６  コンペンチェーン、７  コンペンチェーンガイド、８  緩衝器、９  クリアランス測定装置、１０  釣合い重り用ガイドレール、１１  可動ブラケット、１２  案内棒、１３  電動シリンダ、１４  固定金具、１４ａ  固定金具取付ボルト、１５  チェーン検出センサー、１６  ブラケット取付ボルト、１７  押え金具、１８  ローラ、１９  ナット、２０  スポンジ、２１  コード、２２  巻取りリール
【図１】
2017178546.tif 000003
【図２】
2017178546.tif 000004
【図３】
2017178546.tif 000005
【図４】
2017178546.tif 000006
【図５】
2017178546.tif 000007
【図６】
2017178546.tif 000008